(57)【要約】【課題】  第三壁面と扉との間が固着しても、容易に扉を開くことができる質量分析装置の提供。【解決手段】  質量分析装置であって、扉５０が開閉可能となり、第一辺と垂直となる回転軸で回動可能となる一の字形状部６０ａを有するレバー６０が形成され、扉５０が閉まった状態において、測定者がレバー６０の一の字形状部６０ａの一端部を順回転で回動することにより、レバー６０に形成された雄部６１と、筐体１１０に形成された雌部６２とが干渉するロック状態となることで、扉５０が開閉不可能となり、一方、測定者がレバーの一の字形状部６０ａの一端部を逆回転で回動することにより、非ロック状態となることで、扉５０が開閉可能となり、測定者が非ロック状態とするときには、レバー６０の一の字形状部６０ａの他端部が第三壁面１１０ｃの一部を押圧することで、扉５０に開く力が加わることを特徴とする。【選択図】図３
2011174761.tif 000002
【特許請求の範囲】
【請求項１】
試料をイオン化するイオン化室と、当該イオン化室からイオンが導入される質量分析部とを備え、
前記イオン化室は、第一壁面と第二壁面と第三壁面とを有する筐体を備え、当該筐体によって内部空間が形成され、
前記第一壁面には、前記イオン化室の内部に試料を噴霧するプローブが取り付けられ、
前記第二壁面には、前記イオン化室の内部と質量分析部の内部とを連通する管が形成される質量分析装置であって、
前記第三壁面には、前記イオン化室の内部を開放する開口部が形成されるとともに、当該開口部を覆うための四角形の平板形状の扉が取り付けられ、
前記四角形の扉の第一辺を軸として、前記扉が開閉可能となり、
前記扉の第一辺と対向する扉の第二辺の側面には、前記第一辺と垂直となる回転軸で回動可能となる一の字形状部を有するレバーが形成され、
前記レバーの一の字形状部の一端部は、測定者に取り扱われ、
前記扉が閉まった状態において、前記測定者がレバーの一の字形状部の一端部を順回転で回動することにより、前記レバーに形成された雄部と、前記筐体に形成された雌部とが係合するロック状態となることで、前記扉が開閉不可能となり、
一方、前記測定者がレバーの一の字形状部の一端部を逆回転で回動することにより、前記レバーに形成された雄部と、前記筐体に形成された雌部とが係合しない非ロック状態となることで、前記扉が開閉可能となるように構成され、
前記測定者が非ロック状態とするときには、前記レバーの一の字形状部の一端部を逆回転で回動することにより、前記レバーの一の字形状部の他端部が第三壁面の一部を押圧することで、前記扉に開く力が加わることを特徴とする質量分析装置。
【請求項２】
前記レバーにおける一端部から回転軸までの長さは、前記他端部から回転軸までの長さより、長いことを特徴とする請求項１に記載の質量分析装置。
【請求項３】
前記雄部は、前記レバーに形成された柱状体であるとともに、前記雌部は、前記筐体に形成された柱状体であり、
前記四角形の扉の第一辺は上下方向となるように配置され、前記扉は前方に引かれることにより開かれ、
前記ロック状態であるときには、前記雄部の柱状体は、前記雌部の柱状体と同じ高さとなる位置で雌部の柱状体の後側に位置し、一方、前記非ロック状態であるときには、前記雌部の柱状体と同じ高さとなる位置に位置しなくなることを特徴とする請求項１又は請求項２に記載の質量分析装置。
【請求項４】
前記扉とレバーとを前方から覆うカバーを備え、
前記カバーは、前記扉の第一辺と垂直となる回転軸で回動可能となるように、前記扉と固定されるとともに、前記レバーの一の字形状部の一端部と固定され、
前記カバーは、前記扉とレバーとを覆った状態を維持したまま、前記レバーとともに、前記扉の第一辺と垂直となる回転軸で回動することを特徴とする請求項１〜請求項３のいずれかに記載の質量分析装置。
【発明の詳細な説明】
【技術分野】
【０００１】
本発明は、イオン化室を備える質量分析装置に関し、さらに詳しくは、液体クロマトグラフ部から溶出してきた液体試料をイオン化するイオン化室と、イオン化室からイオンが導入される質量分析部とを備える液体クロマトグラフ質量分析装置に関する。
【背景技術】
【０００２】
液体クロマトグラフ質量分析装置（ＬＣ／ＭＳ）は、液体試料を成分毎に分離して溶出する液体クロマトグラフ部（ＬＣ部）と、ＬＣ部から溶出してきた試料成分をイオン化するイオン化室（インタフェース部）と、イオン化室から導入されたイオンを検出する質量分析部（ＭＳ部）とから構成される。このようなイオン化室では、液体試料をイオン化するために様々なイオン化手法が用いられているが、大気圧化学イオン化法（ＡＰＣＩ）やエレクトロスプレーイオン化法（ＥＳＩ）等の大気圧イオン化法が広く用いられている。
【０００３】
具体的には、ＡＰＣＩでは、ＬＣ部のカラムの末端に接続されたノズルの先端をイオン化室の内部に向けて配設するとともに、ノズルの先端の前方に針電極を配置している。そして、ノズルにおいて加熱により霧化した試料の液滴に、針電極からのコロナ放電により生成したキャリアガスイオン（バッファイオン）を化学反応させてイオン化している。また、ＥＳＩでは、ＬＣ部のカラムの末端に接続されたノズルの先端をイオン化室の内部に向けて配設するとともに、ノズルの先端部に数ｋＶ程度の高電圧を印加して強い不平等電界を発生させる。これにより、液体試料は電界により電荷分離し、クーロン引力により引きちぎられて霧化する。その結果、周囲の空気に触れて試料の液滴中の溶媒は蒸発し、気体イオンが発生する。
【０００４】
このようなＡＰＣＩやＥＳＩでは、大気圧に近い状態で液体試料をイオン化するため、高い圧力状態（つまり大気圧に近い状態）にあるイオン化室と、ごく低い圧力状態（つまり高真空度の状態）にあるＭＳ部との間での圧力差を確保するため、イオン化室とＭＳ部との間に中間室等を設け、段階的にその真空度を高めるようにする構成が採用されている（例えば、特許文献１参照）。
図６は、ＥＳＩ法を用いた液体クロマトグラフ質量分析装置の一例を示す概略構成図である。図７及び図８は、図６に示すイオン化室の斜視図であり、図５は、スプレーの詳細図である。なお、図７は、扉を閉めた状態のイオン化室であり、図８は、扉を開けた状態のイオン化室である。
液体クロマトグラフ質量分析装置には、チャンバ（筐体）２１０を備えるイオン化室１１と、イオン化室１１に隣接する第１中間室１２と、第１中間室１２に隣接する第２中間室１３と、第２中間室１３に隣接する質量分析室（ＭＳ部）１４とがそれぞれ隔壁を介して連続的に設けられている。
【０００５】
ＬＣ部にて成分分離された液体試料は、流路１５５を介して供給される。また、ネブライズガス（窒素ガス）が、流路１５６を介して供給される。その結果、液体試料とネブライズガスとは、スプレー（プローブ）１５に導かれて噴霧されることになる。
ここで、図５（ａ）は、スプレーの側面図であり、図５（ｂ）は、図５に示すＡの拡大断面図である。スプレー１５は、二重管構造になっており、流路１５５を介して供給される液体試料は円管１５９の内側から噴出される。一方、流路１５６から供給される窒素ガスは円管１５９と円管形状のノズル１５２との間から噴射される。このようにすることにより、噴出された液体試料は、円管１５９の周囲に噴射されるネブライズガスとの衝突作用により霧状態となって噴霧される。
また、ノズル１５２の先端に電圧源（図示せず）から数ｋＶの高電圧が印加されるように配線（図示せず）が接続されており、イオン化が行われるようになっている。
【０００６】
なお、図５〜図８において、スプレー１５はＥＳＩ用のものであるが、一般的にスプレー１５はチャンバ２１０に対し着脱自在になっており、ＡＰＣＩ法を用いたい場合には、スプレー１５を取り外し、その代わりに放電用の針電極がユニット化されたＡＰＣＩ用のものをチャンバ２１０に取り付けることになる。
また、スプレー１５の先端部は、スプレー本体に対して位置調節ツマミ（図示せず）によりｘ軸に直交するｙｚ面内の所定範囲で略平行に移動可能となっており、適宜に位置を調整した後に位置固定ツマミにより位置を固定することができるようになっている。さらに、スプレー１５は、スプレー本体に対してｘ軸方向に抜き差しができる（突出量ｄｘを調整することができる）ようになっており、適宜に位置を調整した後にナット（図示せず）により位置を固定することができるようになっている。
【０００７】
イオン化室１１は、１３ｃｍ×１３ｃｍ×１２ｃｍの直方体形状のチャンバ２１０を備え、チャンバ２１０は、第一壁面（上面）２１０ａと第二壁面（隔壁）２１０ｂと第三壁面（前面）２１０ｃと第四壁面（右側面）２１０ｄと第五壁面（左側面）２１０ｅと第六壁面（下面）２１０ｆとを有する。このように上面２１０ａと隔壁２１０ｂと前面２１０ｃと右側面２１０ｄと左側面２１０ｅと下面２１０ｆとで囲まれることで、イオン化室１１の内部空間が形成されている。
上面２１０ａには、上下方向に連通する円形状の開口部１１ａが形成されており、開口部１１ａにスプレー１５が上方向から取り付けられるようになっている。
隔壁２１０ｂは、イオン化室１１の内部と第１中間室１２の内部とを仕切るように配置され、隔壁２１０ｂには、温調機構（図示せず）が内蔵されたヒータブロック２０が固定してあり、ヒータブロック２０には、円管形状（直径外径１．６ｍｍ、内径０．５ｍｍ）の脱溶媒管１９が形成されている。これにより、イオン化室１１の内部と第１中間室１２の内部とは、脱溶媒管１９を介して連通する。よって、脱溶媒管１９は、スプレー１５により噴霧されたイオンや微細な試料の液滴が内部を通過するときに、加熱作用や衝突作用により脱溶媒化、イオン化が促進される機能を有する。
なお、脱溶媒管１９の入口は、スプレー１５からの試料噴霧方向に対して略直角方向に向けてあり、噴霧された巨大な試料の液滴がそのまま脱溶媒管１９内に飛び込むのを防ぐようにしてある。また、スプレー１５の試料噴霧方向の前方の下面２１０ｆには、ドレイン３０が形成されており、不要な試料はドレイン３０から外部へ排出されるようになっている。
【０００８】
第１中間室１２の内部には、第１イオンレンズ２１が設けられ、第１中間室１２の下面には、油回転ポンプ（ＲＰ）で真空排気するための排気口３１が設けられている。第１中間室１２と第２中間室１３との間の隔壁には、細孔（オリフィス）を有するスキマー２２が形成され、この細孔を介して第１中間室１２の内部と第２中間室１３の内部とが連通する。
第２中間室１３の内部には、オクタポール２３と、フォーカスレンズ２４とが設けられ、第２中間室１３の下面には、ターボ分子ポンプ（ＴＭＰ）で真空排気するための排気口３２が設けられている。第２中間室１３と質量分析室１４との間の隔壁には、細孔を有する入口レンズ２５が設けられ、この細孔を介して第２中間室１３の内部と質量分析室１４の内部とが連通する。
質量分析室１４の内部には、第１四重極１６と、第２四重極１７と、検出器１８とが設けられ、質量分析室１４の下面には、ターボ分子ポンプ（ＴＭＰ）で真空排気するための排気口３３が設けられている。
なお、イオンレンズ２１と、オクタポール２３と、フォーカスレンズ２４と、入口レンズ２５とは、それぞれの真空状態下で、それぞれのイオン速度下のもとで通過するイオンを効率的に次段に送り出すための収束作用を有する。
【０００９】
このような液体クロマトグラフ質量分析装置において、イオン化室１１で生成されたイオンは、脱溶媒管１９、第１中間室１２内の第１イオンレンズ２１、スキマー２２、第２中間室１３内のオクタポール２３及びフォーカスレンズ２４、入口レンズ２５を順に経て質量分析室１４に送られ、四重極１６、１７により不要イオンが排出され、検出器１８に到達した特定イオンのみが検出されることになる。
【００１０】
ところで、イオン化室１１においてイオンの生成効率を高めるには、ＥＳＩ法を用いた場合では、液体試料を噴霧するスプレー１５と脱溶媒管１９の入口との位置関係等を適切に調整したり、スプレー１５からの噴霧が正常であるか否かを確認したり、スプレー１５の汚れ状況を確認したりすることが必要となる。このような調整や確認を行うには、外部からイオン化室１１の内部を観察することができ、かつ、イオン化室１１の内部を開放することができると便利である。このため、液体クロマトグラフ質量分析装置では、前面２１０ｃには略四角形の開口部（１１ｃｍ×１１ｃｍ）１１ｂが形成されるとともに、開口部１１ｂを覆うための四角形の平板形状（１８ｃｍ×１５ｃｍ×２．５ｃｍ）の扉１５０が形成されている。そして、扉１５０の中央部には、ガラス等の四角形（１１ｃｍ×８ｃｍ）の透視窓１５１が形成されている。
【００１１】
扉１５０は、ヒンジ５２によって四角形の扉の第一辺（左辺）１５０ａを軸として、開閉可能となっている。これにより、測定者は、イオン化室１１の内部を開放したり閉鎖したりするために、扉１５０を開いたり閉じたり自由にできるようになっている。そして、測定中には扉１５０が確実に開口部１１ｂを塞ぐようにするため、扉１５０の右下部には前後方向に貫通するネジ用開口部が形成され、測定者によってネジ用開口部に雄ネジ１５４が前方から挿入されることにより、前面２１０ｃの右下部に形成されたネジ穴１５５と固定されることで、扉１５０が開閉不可能となるようにしている。
なお、扉１５０は、耐熱性のカバーと金属製の本体部とゴム製のＯリング５６とが表側からこの順で積層された構造となっている。
【先行技術文献】
【特許文献】
【００１２】
【特許文献１】特開２００１−３４３３６３号公報
【発明の概要】
【発明が解決しようとする課題】
【００１３】
しかしながら、上述した液体クロマトグラフ質量分析装置では、測定後に扉１５０を開くことがなかなかできない場合があった。つまり、イオン化室１１の内部では、試料が噴霧されるため、前面２１０ｃの表側と扉１５０のＯリング５６との間に余分な試料が付着することによって、前面２１０ｃとＯリング５６との間が固着してしまうという問題があった。そして、測定者が扉１５０を強引に開くと、測定者が怪我をすることもあった。
【課題を解決するための手段】
【００１４】
上記課題を解決するために、本件発明者らは、前面（第三壁面）と扉との間が固着しても、容易に扉を開くことができる方法について検討を行った。まず、雄ネジを用いて扉を開閉不可能とする方法は、雄ネジを締めたり緩めたりする必要があるため作業効率が悪いので、止めることとした。そこで、扉の第一辺と対向する扉の第二辺の側面には、雄ネジの代わりに一の字形状部を有するレバーを形成した。このレバーは、第一辺と垂直となる回転軸で回動可能となるようにした。そして、扉が閉まった状態において、測定者がレバーの一の字形状部の一端部を順回転で回動することにより、レバーに形成された雄部（カム）と、筐体に形成された雌部（ピン）とが係合するロック状態となることで、扉が開閉不可能となるようにした。一方、測定者がレバーの一の字形状部の一端部を逆回転で回動することにより、レバーに形成された雄部（カム）と、筐体に形成された雌部（ピン）とが係合しない非ロック状態となることで、扉が開閉可能となるようにした。つまり、測定者はレバーの一の字形状部の一端部を回動するだけで、扉が開閉不可能となったり開閉可能となったりするようにした。さらに、測定者が非ロック状態とするときには、レバーの一の字形状部の一端部を逆回転で回動することにより、レバーの一の字形状部の他端部が第三壁面の一部を押圧することで、扉に開く力が加わるようにした。これにより、第三壁面と扉との間が固着しても、扉に開く力が加わるため、測定者は容易に扉を開くことができるようになった。
【００１５】
すなわち、本発明の質量分析装置は、試料をイオン化するイオン化室と、当該イオン化室からイオンが導入される質量分析部とを備え、前記イオン化室は、第一壁面と第二壁面と第三壁面とを有する筐体を備え、当該筐体によって内部空間が形成され、前記第一壁面には、前記イオン化室の内部に試料を噴霧するプローブが取り付けられ、前記第二壁面には、前記イオン化室の内部と質量分析部の内部とを連通する管が形成される質量分析装置であって、前記第三壁面には、前記イオン化室の内部を開放する開口部が形成されるとともに、当該開口部を覆うための四角形の平板形状の扉が取り付けられ、前記四角形の扉の第一辺を軸として、前記扉が開閉可能となり、前記扉の第一辺と対向する扉の第二辺の側面には、前記第一辺と垂直となる回転軸で回動可能となる一の字形状部を有するレバーが形成され、前記レバーの一の字形状部の一端部は、測定者に取り扱われ、前記扉が閉まった状態において、前記測定者がレバーの一の字形状部の一端部を順回転で回動することにより、前記レバーに形成された雄部と、前記筐体に形成された雌部とが係合するロック状態となることで、前記扉が開閉不可能となり、一方、前記測定者がレバーの一の字形状部の一端部を逆回転で回動することにより、前記レバーに形成された雄部と、前記筐体に形成された雌部とが係合しない非ロック状態となることで、前記扉が開閉可能となるように構成され、前記測定者が非ロック状態とするときには、前記レバーの一の字形状部の一端部を逆回転で回動することにより、前記レバーの一の字形状部の他端部が第三壁面の一部を押圧することで、前記扉に開く力が加わるようにしている。
【発明の効果】
【００１６】
以上のように、本発明の質量分析装置によれば、第三壁面と扉との間が固着しても、レバーの一の字形状部の他端部が第三壁面の一部を押圧するので、容易に扉を開くことができる。また、測定者はレバーの一の字形状部の一端部を回動するだけで、扉を開閉不可能としたり開閉可能としたりすることができる。
【００１７】
（その他の課題を解決するための手段及び効果）
また、本発明の質量分析装置は、前記レバーにおける一端部から回転軸までの長さは、前記他端部から回転軸までの長さより、長くなるようにしてもよい。
本発明の質量分析装置によれば、テコ比により、さらに容易に扉を開くことができる。
そして、本発明の質量分析装置は、前記雄部は、前記レバーに形成された柱状体であるとともに、前記雌部は、前記筐体に形成された柱状体であり、前記四角形の扉の第一辺は上下方向となるように配置され、前記扉は前方に引かれることにより開かれ、前記ロック状態であるときには、前記雄部の柱状体は、前記雌部の柱状体と同じ高さとなる位置で雌部の柱状体の後側に位置し、一方、前記非ロック状態であるときには、前記雌部の柱状体と同じ高さとなるように位置させなくてもよい。
【００１８】
さらに、本発明の質量分析装置は、前記扉とレバーとを前方から覆うカバーを備え、前記カバーは、前記扉の第一辺と垂直となる回転軸で回動可能となるように、前記扉と固定されるとともに、前記レバーの一の字形状部の一端部と固定され、前記カバーは、前記扉とレバーとを覆った状態を維持したまま、前記レバーとともに、前記扉の第一辺と垂直となる回転軸で回動するようにしてもよい。
本発明の質量分析装置によれば、前方からはレバーが見えなくなり、見栄えがよくなる。
【図面の簡単な説明】
【００１９】
【図１】本発明に係るＥＳＩ法を用いた液体クロマトグラフ質量分析装置の一例を示す概略構成図である。
【図２】図１に示すイオン化室の斜視図である。
【図３】図１に示すイオン化室の斜視図である。
【図４】図１に示すイオン化室の斜視図である。
【図５】スプレーの詳細図である。
【図６】従来のＥＳＩ法を用いた液体クロマトグラフ質量分析装置の一例を示す概略構成図である。
【図７】図６に示すイオン化室の斜視図である。
【図８】図６に示すイオン化室の斜視図である。
【図９】図１に示す扉とカバーの断面図である。
【発明を実施するための形態】
【００２０】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２１】
図１は、本発明に係るＥＳＩ法を用いた液体クロマトグラフ質量分析装置の一例を示す概略構成図であり、図２〜図４は、図１に示すイオン化室の斜視図である。なお、図２は、扉を閉めた状態のイオン化室であり、図３は、扉を開けようとした状態のイオン化室であり、図４は、扉を開けた状態のイオン化室である。また、上述した従来の液体クロマトグラフ質量分析装置と同様のものについては、同じ符号を付している。
液体クロマトグラフ質量分析装置には、チャンバ（筐体）１１０を備えるイオン化室１１と、イオン化室１１に隣接する第１中間室１２と、第１中間室１２に隣接する第２中間室１３と、第２中間室１３に隣接する質量分析室（ＭＳ部）１４とがそれぞれ隔壁を介して連続的に設けられている。
【００２２】
イオン化室１１は、１３ｃｍ×１３ｃｍ×１２ｃｍの直方体形状のチャンバ１１０を備え、チャンバ１１０は、第一壁面（上面）１１０ａと第二壁面（隔壁）１１０ｂと第三壁面（前面）１１０ｃと第四壁面（右側面）１１０ｄと第五壁面（左側面）１１０ｅと第六壁面（下面）１１０ｆとを有する。このように上面１１０ａと隔壁１１０ｂと前面１１０ｃと右側面１１０ｄと左側面１１０ｅと下面１１０ｆとで囲まれることで、イオン化室１１の内部空間が形成されている。
上面１１０ａには、上下方向に連通する開口部１１ａが形成されており、開口部１１ａにスプレー１５が上方向から取り付けられるようになっている。
隔壁１１０ｂは、イオン化室１１の内部と第１中間室１２の内部とを仕切るように配置され、隔壁１１０ｂには、温調機構（図示せず）が内蔵されたヒータブロック２０が固定してあり、ヒータブロック２０には、円管形状（直径外径１．６ｍｍ、内径０．５ｍｍ）の脱溶媒管１９が形成されている。これにより、イオン化室１１の内部と第１中間室１２の内部とは、脱溶媒管１９を介して連通する。
なお、脱溶媒管１９の入口は、スプレー１５からの試料噴霧方向に対して略直角方向に向けてあり、噴霧された巨大な試料の液滴がそのまま脱溶媒管１９内に飛び込むのを防ぐようにしてある。また、スプレー１５の試料噴霧方向の前方の下面１１０ｆには、ドレイン３０が形成されており、不要な試料はドレイン３０から外部に排出されるようになっている。
【００２３】
前面１１０ｃには、略四角形（１１ｃｍ×１１ｃｍ）の開口部１１ｂが形成されるとともに、開口部１１ｂを覆うための四角形の平板形状（１８ｃｍ×１５ｃｍ×２．５ｃｍ）の扉５０が形成されている。そして、扉５０の中央部には、ガラス等の四角形（１１ｃｍ×８ｃｍ）の透視窓５１が形成されている。扉５０は、ヒンジ５２によって四角形の扉の第一辺（左辺）５０ａを軸として、開閉可能となっている。
なお、扉５０は、金属製の本体部とゴム製のＯリング５６とが表側からこの順で積層された構造となっている。
扉５０の第二辺（右辺）５０ｂの側面には、一の字形状部６０ａと、一の字形状部６０ａから垂直に所定の長さ（３ｃｍ）で伸びる伸長部６０ｂとを有する略Ｔの字形状のレバー６０が取り付けられている。
【００２４】
一の字形状部６０ａの中央部付近には、第一辺５０ａと垂直となる回転軸で回動可能となるように、回転軸部６０ｃが形成されている。このとき、レバー６０の一の字形状部６０ａの一端部から回転軸部６０ｃまでの長さ（７ｃｍ）は、レバー６０の一の字形状部６０ａの他端部から回転軸部６０ｃまでの長さ（２ｃｍ）より、長くなる。そして、レバー６０は、下側に一の字形状部６０ａの一端部が位置し、上側に一の字形状部６０ａの他端部が位置し、後側に伸長部６０ｂが位置するように取り付けられている。
レバー６０の一の字形状部６０ａの一端部は、測定者に取り扱われるようになっている。これにより、測定者はレバー６０を順回転や逆回転で回動することができる。
レバー６０の伸長部６０ｂの左側面には、回転軸と平行な中心軸を有する円柱体（直径１ｃｍ、高さ０．６ｃｍ）のカム（雄部）６１が形成されている。
【００２５】
そして、扉５０が閉まった状態において、レバー６０の伸長部６０ｂは、前面１１０ｃの右側に位置するとともに、レバー６０の一の字形状部６０ａは、前面１１０ｃ（右上延長板１１ｄ）より前方に位置するようになっている。このとき、レバー６０の一の字形状部６０ａは、上下方向に一直線となる状態になり、前面１１０ｃ（右上延長板１１ｄ）と平行になる。
また、扉５０が開けられるときには、レバー６０の一の字形状部６０ａの一端部が引かれることにより、レバー６０の一の字形状部６０ａは、上下方向に対して傾くので、レバー６０の一の字形状部６０ａの一端部が、前面１１０ｃから離れることになるが、レバー６０の一の字形状部６０ａの他端部が、前面１１０ｃの右上延長板１１ｄとぶつかることになる。すなわち、扉５０に開く力が加わることになる。よって、レバー６０の一の字形状部６０ａの一端部を、前面１１０ｃから離れるように回動すると、レバー６０の一の字形状部６０ａの他端部が、前面１１０ｃの右上延長板１１ｄを押圧することで、扉５０が開くことになる。このとき、レバー６０の一の字形状部６０ａの一端部から回転軸部６０ｃまでの長さ（７ｃｍ）は、レバー６０の一の字形状部６０ａの他端部から回転軸部６０ｃまでの長さ（２ｃｍ）より、長くなっているので、テコ比により、容易に扉５０を開くことができる。
【００２６】
また、前面１１０ｃの右側の高さｈの位置には、回転軸と平行な中心軸を有する円柱体（直径１ｃｍ、高さ０．６ｃｍ）のピン（雌部）６２が形成されている。
これにより、扉５０が閉まった状態において、カム６１は、ピン６２と同じ高さとなる位置ｈでピン６２の後側に位置するようになっている（ロック状態）。つまり、カム６１とピン６２とが同じ高さにあるためぶつかるので、扉５０が第一辺５０ａを軸として開閉不可能になる。
また、扉５０が開けられるときには、測定者がレバー６０の一の字形状部６０ａの一端部を回動することで、カム６１は、回転軸を中心としてピン６２を回り込んで、ピン６２より低い高さとなる位置ｈ’に位置するようになっている（非ロック状態）。つまり、カム６１とピン６２とが同じ高さにないためぶつからず、扉５０が第一辺５０ａを軸として開閉可能になる。
【００２７】
さらに、扉５０とレバー６０とを前方から覆うように、側面を有する四角筒状（１８ｃｍ×１５ｃｍ）の耐熱性のカバー７０が取り付けられている。そして、カバー７０の側面の中央部には、ガラス等の四角形（１１ｃｍ×８ｃｍ）の透視窓７１が形成されている。図９は、扉とカバーとの断面図である。なお、図９（ａ）は、ロック状態の扉とカバーとであり、図９（ｂ）は、非ロック状態の扉とカバーとである。
カバー７０の側面の上辺は、第一辺５０ａと垂直となる回転軸で回動可能となるように、扉５０の上辺５０ｃとヒンジ６３によって固定されている。カバー７０の側面の右下部は、ピン６５を有するブロック７２が形成されており、レバー６０の一の字形状部６０ａの一端部に形成された長穴６６に、ピン６５が挿入されることで固定されている。これにより、カバー７０は、扉５０とレバー６０とを覆った状態を維持したまま、レバー６０とともに、扉５０の上辺５０ｃを回転軸として回動する。このとき、扉５０が開けられたときには、カバー７０の側面は、バネ６４によって扉５０と平行とならないようになっている。また、扉５０が閉まった状態においてロック状態となるときには、カバー７０の側面は扉５０と平行となるようになっている。よって、測定者は扉５０を閉めてカバー７０を後方に押圧すると、扉５０はロック状態となることになる。
【００２８】
以上のように、本発明の液体クロマトグラフ質量分析装置によれば、前面１１０ｃと扉５０との間が固着しても、レバー６０の一の字形状部６０ａの他端部が前面１１０ｃの右上延長板１１ｄを押圧するので、容易に扉５０を開くことができる。また、測定者はレバーの一の字形状部６０ａの一端部を回動するだけで、扉５０を開閉不可能としたり開閉可能としたりすることができる。さらに、本発明の液体クロマトグラフ質量分析装置によれば、前方からはレバー６０が見えなくなり、見栄えがよくなる。
【００２９】
（他の実施形態）
（１）上述した液体クロマトグラフ質量分析装置において、前面１１０ｃの右側にはピン（雌部）６２が固定して形成されている構成としたが、ピン（雌部）６２が前後方向に移動するように形成されているような構成としてもよい。
（２）上述した液体クロマトグラフ質量分析装置において、レバー６０の伸長部６０ｂは、前面１１０ｃの右側に位置する構成としたが、レバー６０の伸長部６０ｂは、前面１１０ｃの右下部に形成された直方体形状の凹部に位置するように形成されているような構成としてもよい。
【産業上の利用可能性】
【００３０】
本発明は、イオン化室を備える質量分析装置に利用することができる。
【符号の説明】
【００３１】
１１：  イオン化室
１４：  質量分析部
１５：  スプレー（プローブ）
１９：  脱溶媒管
５０、１５０：  扉
６０：  レバー
６０ａ：  一の字形状部
６１：  カム（雄部）
６２：  ピン（雌部）
１１０、２１０：  チャンバ（筐体）
１１０ａ、２１０ａ：  上面（第一壁面）
１１０ｂ、２１０ｂ：  隔壁（第二壁面）
１１０ｃ、２１０ｃ：  前面（第三壁面）
【図１】
2011174761.tif 000003
【図２】
2011174761.tif 000004
【図３】
2011174761.tif 000005
【図４】
2011174761.tif 000006
【図５】
2011174761.tif 000007
【図６】
2011174761.tif 000008
【図７】
2011174761.tif 000009
【図８】
2011174761.tif 000010
【図９】
2011174761.tif 000011